【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  化合物（１）：下記式（１）
【化１】
2002541163.tif 000001
で表される５−ｔｅｒｔ−ブチル−３−（２,４−ジクロロ−５−イソプロポキシフェニル）−１,３,４−オキサジアゾール−２（３Ｈ）−オンおよび
化合物（２）：下記式（２）
【化２】
2002541163.tif 000002
で表される５−ｔｅｒｔ−ブチル−３−（２,４−ジクロロ−５−プロパルギルオキシフェニル）−１,３,４−オキサジアゾール−２（３Ｈ）−オンからなる薬剤群Ａより選択される１種またはそれ以上の化合物、並びに
化合物（３）：下記式（３）
【化３】
2002541163.tif 000003
で表されるメチルα−［［３−（４,６−ジメトキシピリミジン−２−イル）ウレイド］スルホニル］−Ｏ−トルエ−ト、
化合物（４）：下記式（４）
【化４】
2002541163.tif 000004
で表される［（４,６−ジメトキシピリミジン−２−イル）アミノカルボニル］−１−メチル−４−（２−メチル−２Ｈ−テトラゾール−５−イル）−１Ｈ−ピラゾール−５−スルホンアミド、
化合物（５）：下記式（５）
【化５】
2002541163.tif 000005
で表されるエチル５−［［３−（４,６−ジメトキシピリミジン−２−イル）ウレイド］スルホニル］−１Ｈ−１−メチルピラゾール−４−カルボキシレ−ト、
化合物（６）：下記式（６）
【化６】
2002541163.tif 000006
で表される１−（２−クロロイミダゾ［１,２−ａ］ピリジン−３−イルスルホニル）−３−（４,６−ジメトキシピリミジン−２−イル）尿素、
化合物（７）：下記式（７）
【化７】
2002541163.tif 000007
で表される１−（４,６−ジメトキシピリミジン−２−イル）−３−（２−エトキシフェノキシスルホニル）尿素、および
化合物（８）：下記式（８）
【化８】
2002541163.tif 000008
で表される１−［２−（シクロプロピルカルボニル）フェニルスルファモイル］−３−（４,６−ジメトキシピリミジン−２−イル）尿素からなる薬剤群Ｂより選択される１種またはそれ以上の化合物を有効成分として含有することを特徴とする水田用除草剤組成物。
【請求項２】  化合物（１）：請求項１に記載の定義を有する式（１）で表される５−ｔｅｒｔ−ブチル−３−（２,４−ジクロロ−５−イソプロポキシフェニル）−１,３,４−オキサジアゾール−２（３Ｈ）−オン、並びに請求項１に記載の定義を有する化合物（３）、（４）、（５）、（６）、（７）および（８）からなる薬剤群Ｂより選択される１種またはそれ以上の化合物を有効成分として含有することを特徴とする水田用除草剤組成物。
【請求項３】  化合物（２）：請求項１に記載の定義を有する式（２）で表される５−ｔｅｒｔ−ブチル−３−（２,４−ジクロロ−５−プロパルギルオキシフェニル）−１,３,４−オキサジアゾール−２（３Ｈ）−オン、並びに請求項１に記載の定義を有する化合物（３）、（４）、（５）、（６）、（７）および（８）からなる薬剤群Ｂより選択される１種またはそれ以上の化合物を有効成分として含有することを特徴とする水田用除草剤組成物。
【請求項４】  有効成分が０.０１〜９９重量％、好適には０.１〜８０重量％である請求項１〜３のいずれか一項に記載の除草剤組成物。
【請求項５】  化合物（１）１重量部を、化合物（３）０.０００１〜１０重量部、好適には０.００１〜１重量部、および／または化合物（４）０.０００１〜１０重量部、好適には０.００１〜１重量部、および／または化合物（５）０.０００１〜１０重量部、好適には０.００１〜１重量部、および／または化合物（６）０.０００１〜１０重量部、好適には０.００１〜１重量部、および／または化合物（７）０.０００１〜１０重量部、好適には０.００１〜１重量部、および／または化合物（８）０.０００１〜１０重量部、好適には０.００１〜１重量部と一緒に混合して含有する請求項２または４に記載の除草剤組成物。
【請求項６】  化合物（２）１重量部を、化合物（３）０.００１〜１００重量部、好適には０.０１〜１０重量部、および／または化合物（４）０.００１〜１００重量部、好適には０.０１〜１０重量部、および／または化合物（５）０.００１〜１００重量部、好適には０.０１〜１０重量部、および／または化合物（６）０.００１〜１００重量部、好適には０.０１〜１０重量部、および／または化合物（７）０.００１〜１００重量部、好適には０.０１〜１０重量部、および／または化合物（８）０.００１〜１００重量部、好適には０.０１〜１０重量部と一緒に混合して含有する請求項３または４に記載の除草剤組成物。
【手続補正２】
【補正対象書類名】明細書
【補正対象項目名】００３０
【補正方法】変更
【補正の内容】
【００３０】
【実施例】
実施例１（フロアブル剤）
化合物（１）                              １２.０重量％
化合物（２）                              １.０重量％
ポリオキシエチレンノニルフェニルエーテル  ２.０重量％
ジオクチルスルホコハク酸ナトリウム        ２.０重量％
キサンタンガム                            ０.２重量％
水                                        ８２.８重量％
上記混合物を湿式ボールミルにて湿式粉砕してフロアブル剤を得た。
【手続補正３】
【補正対象書類名】明細書
【補正対象項目名】００３１
【補正方法】変更
【補正の内容】
【００３１】
実施例２（粒剤）
化合物（１）                            ６.０重量％
化合物（３）                            ０.０６重量％
リグニンスルホン酸ナトリウム            ３.０重量％
アルキルナフタレンスルホン酸ナトリウム  １.０重量％
ベントナイト                            ３０.０重量％
タルク                                  ５９.９４重量％
上記混合物を混合粉砕後、造粒機にて通常の方法によって造粒し、乾燥して粒剤を得た。
【手続補正４】
【補正対象書類名】明細書
【補正対象項目名】００３２
【補正方法】変更
【補正の内容】
【００３２】
実施例３（水和剤）
化合物（１）                              １２.０重量％
化合物（４）                              ０.４２重量％
リグニンスルホン酸ナトリウム              ３.０重量％
ジアルキルナフタレンスルホン酸ナトリウム  ３.０重量％
カオリン                                  ８１.５８重量％
上記混合物を混合粉砕して均一にし水和剤を得た。
【手続補正５】
【補正対象書類名】明細書
【補正対象項目名】００３３
【補正方法】変更
【補正の内容】
【００３３】
実施例４（フロアブル剤）
化合物（１）                              １２.０重量％
化合物（５）                              １.７重量％
ポリオキシエチレンノニルフェニルエーテル  ２.０重量％
ジオクチルスルホコハク酸ナトリウム        ２.０重量％
キサンタンガム                            ０.２重量％
水                                        ８２.１重量％
上記混合物を湿式ボールミルにて湿式粉砕してフロアブル剤を得た。
【手続補正６】
【補正対象書類名】明細書
【補正対象項目名】００３４
【補正方法】変更
【補正の内容】
【００３４】
実施例５（水和剤）
化合物（１）                              １２.０重量％
化合物（６）                              １.２重量％
リグニンスルホン酸ナトリウム              ３.０重量％
ジアルキルナフタレンスルホン酸ナトリウム  ３.０重量％
カオリン                                  ８０.８重量％
上記混合物を混合粉砕して均一にし水和剤を得た。
【手続補正７】
【補正対象書類名】明細書
【補正対象項目名】００３５
【補正方法】変更
【補正の内容】
【００３５】
実施例６（水和剤）
化合物（１）                              １２.０重量％
化合物（７）                              １.２重量％
リグニンスルホン酸ナトリウム              ３.０重量％
ジアルキルナフタレンスルホン酸ナトリウム  ３.０重量％
カオリン                                  ８０.８重量％
上記混合物を混合粉砕して均一にし水和剤を得た。
【手続補正８】
【補正対象書類名】明細書
【補正対象項目名】００３６
【補正方法】変更
【補正の内容】
【００３６】
実施例７（フロアブル剤）
化合物（２）                              １.０重量％
化合物（３）                              １.７重量％
ポリオキシエチレンノニルフェニルエーテル  ２.０重量％
ジオクチルスルホコハク酸ナトリウム        ２.０重量％
キサンタンガム                            ０.２重量％
水                                        ９３.８重量％
上記混合物を湿式ボールミルにて湿式粉砕してフロアブル剤を得た。
【手続補正９】
【補正対象書類名】明細書
【補正対象項目名】００３７
【補正方法】変更
【補正の内容】
【００３７】
実施例８（粒剤）
化合物（２）                            ６.０重量％
化合物（４）                            ０.０６重量％
リグニンスルホン酸ナトリウム            ３.０重量％
アルキルナフタレンスルホン酸ナトリウム  １.０重量％
ベントナイト                            ３０.０重量％
タルク                                  ６５.９４重量％
上記混合物を混合粉砕後、造粒機にて通常の方法によって造粒し、乾燥して粒剤を得た。
【手続補正１０】
【補正対象書類名】明細書
【補正対象項目名】００３８
【補正方法】変更
【補正の内容】
【００３８】
実施例９（水和剤）
化合物（２）                              １.０重量％
化合物（５）                              ０.４２重量％
リグニンスルホン酸ナトリウム              ３.０重量％
ジアルキルナフタレンスルホン酸ナトリウム  ３.０重量％
カオリン                                  ９２.５８重量％
上記混合物を混合粉砕して均一にし水和剤を得た。
【手続補正１１】
【補正対象書類名】明細書
【補正対象項目名】００３９
【補正方法】変更
【補正の内容】
【００３９】
実施例１０（フロアブル剤）
化合物（２）                              １.０重量％
化合物（６）                              １.７重量％
ポリオキシエチレンノニルフェニルエーテル  ２.０重量％
ジオクチルスルホコハク酸ナトリウム        ２.０重量％
キサンタンガム                            ０.２重量％
水                                        ９３.１重量％
上記混合物を湿式ボールミルにて湿式粉砕してフロアブル剤を得た。
【手続補正１２】
【補正対象書類名】明細書
【補正対象項目名】００４０
【補正方法】変更
【補正の内容】
【００４０】
実施例１１（水和剤）
化合物（２）                              １.０重量％
化合物（７）                              ０.４２重量％
リグニンスルホン酸ナトリウム              ３.０重量％
ジアルキルナフタレンスルホン酸ナトリウム  ３.０重量％
カオリン                                  ９２.５２重量％
上記混合物を混合粉砕して均一にし水和剤を得た。
【手続補正１３】
【補正対象書類名】明細書
【補正対象項目名】００４１
【補正方法】変更
【補正の内容】
【００４１】
実施例１２（水和剤）
化合物（２）                              １.０重量％
化合物（８）                              １.２重量％
リグニンスルホン酸ナトリウム              ３.０重量％
ジアルキルナフタレンスルホン酸ナトリウム  ３.０重量％
カオリン                                  ９１.８重量％
上記混合物を混合粉砕して均一にし水和剤を得た。